(57)【要約】【課題】両手を使った投擲操作の際の捩り剛性を向上させた釣竿を提供する。【解決手段】繊維強化樹脂製竿杆の後方部に装着され、リール載置部１２Ｓを含み、合成樹脂で一体形成されて竿杆に套嵌装着されたリールシート本体１２と、１対のフードＦ１，Ｆ２とを有するリール固定装置と、リールシート本体の後端よりも後方に離れて片手で握れる長さを有する後側グリップ部ＲＧとを具備し、少なくともリールシート本体の途中位置から前記後側グリップ部の途中位置にまで亘る竿杆１０には、強化繊維を傾斜させた傾斜層ＫＳＳを有しており、強化繊維が円周方向の層と軸長方向の層とを有する第１プリプレグと、強化繊維が円周方向の層と軸長方向の層とを有する第２プリプレグとの巻回層ＪＥＳを設けており、該第２プリプレグは元部角部がカットされた形状であり、該カット領域を補って、強化繊維が傾斜方向の第３プリプレグを巻回して前記傾斜層を形成する。【選択図】図１
2007244396.tif 000002
【特許請求の範囲】
【請求項１】
繊維強化樹脂製竿杆の後方部に装着され、リール載置部を含み、合成樹脂で一体形成されて竿杆に套嵌装着されたリールシート本体と、１対のフードとを有するリール固定装置と、リールシート本体の後端よりも後方に離れて片手で握れる長さを有する後側グリップ部とを具備し、少なくともリールシート本体の途中位置から前記後側グリップ部の途中位置にまで亘る竿杆には、強化繊維を竿杆の軸長方向に対して傾斜方向に指向させた傾斜層を有しており、
強化繊維が円周方向に指向した層と軸長方向に指向した層とを有する第１プリプレグと、強化繊維が円周方向に指向した層と軸長方向に指向した層とを有する第２プリプレグとの巻回層を設けており、該第２プリプレグはその台形状の元部角部がカットされた形状であり、該第１、第２のプリプレグ巻回層の上であって前記カット領域を補って、強化繊維が傾斜方向に指向した第３プリプレグを巻回して前記傾斜層を形成している
ことを特徴とするルアーロッド。
【請求項２】
リール固定装置の前側に前側グリップ部が配設されている場合は該前側グリップ部の前側竿杆部位に比べて、前側グリップ部が無い場合はリール固定装置の前側竿杆部位に比べて、前記傾斜方向指向の強化繊維比率が高くてなる請求項１記載の釣竿。
【請求項３】
リール固定装置の前側に前側グリップ部が配設されている場合は該前側グリップ部から後側グリップ部領域内にまで亘って強化繊維が少なくとも軸長方向に指向した層と傾斜方向に指向した層とを具備し、前側グリップ部とリール固定装置との長さ範囲内において、前側グリップ部が無い場合はリール固定装置から後側グリップ部領域内にまで亘って強化繊維が少なくとも軸長方向に指向した層と傾斜方向に指向した層とを具備し、リール固定装置の長さ範囲内において、後方に向かって軸長方向指向強化繊維の割合が減少すると共に傾斜方向指向強化繊維の割合が増大する漸変部を有し、該漸変部を出て後側グリップ部領域内に至るまでは前記傾斜方向指向強化繊維の割合は漸変部の前端部よりも大きく、軸長方向指向強化繊維の割合は小さい請求項１又は２記載のルアーロッド。
【請求項４】
１対のフードが、前方の固定フードと後方の移動フードであり、該移動フードはその後側に配設されてリールシート本体上の雌ねじと螺合して回動しつつ前後に移動するナット部材によって駆動される構成であり、リールシート本体の後端と後側グリップ部前端近くとの間は、ナット部材が退避移動可能な外径である請求項１〜３までの内の何れか１記載のルアーロッド。
【発明の詳細な説明】
【技術分野】
【０００１】
本発明はルアーロッドに関する。
【背景技術】
【０００２】
ルアーロッドは、片手で操作が容易なように軽量で操作性が良いように形成されなければならない。従って、竿杆自体は細径に形成される。こうしたルアーロッドの例が下記特許文献１に開示されている。この文献１では、大撓み時の捩り剛性向上のため、撓みの期待される竿杆露出領域（ハンドル部以外の領域）に傾斜方向繊維層を設ける構造が開示されている。この文献１のルアーロッドもそうであるが、ルアーロッドは片手で操作されるものの、リール固定装置の後側に、片手で握れる長さの後側グリップ部を設けているタイプのものでは、一方の手でここを握り、他方の手でリール固定装置部を握って投擲操作を行う場合がある。
【特許文献１】特開２００２−３４５３６５号公報
【発明の開示】
【発明が解決しようとする課題】
【０００３】
然しながら、この場合、必然的に左右の手でロッドを捩るように操作する。既述の如く、ルアーロッドは細径であるため、一般に捩りに対して弱い。等方性物質で形成した管状体の場合、肉厚を１ｍｍとすると、外径が１０ｍｍの管状体を外径７ｍｍに小径化すると、捩り剛性は１／３程に大きく低下する。このように、小径化は大きく捩り剛性を低下させる。
依って、本発明の解決しようとする課題は、両手を使った投擲操作の際の捩り剛性を向上させた釣竿を提供することである。
【課題を解決するための手段】
【０００４】
上記目的に鑑み本発明の請求項１では、繊維強化樹脂製竿杆の後方部に装着され、リール載置部を含み、合成樹脂で一体形成されて竿杆に套嵌装着されたリールシート本体と、１対のフードとを有するリール固定装置と、リールシート本体の後端よりも後方に離れて片手で握れる長さを有する後側グリップ部とを具備し、少なくともリールシート本体の途中位置から前記後側グリップ部の途中位置にまで亘る竿杆には、強化繊維を竿杆の軸長方向に対して傾斜方向に指向させた傾斜層を有しており、強化繊維が円周方向に指向した層と軸長方向に指向した層とを有する第１プリプレグと、強化繊維が円周方向に指向した層と軸長方向に指向した層とを有する第２プリプレグとの巻回層を設けており、該第２プリプレグはその台形状の元部角部がカットされた形状であり、該第１、第２のプリプレグ巻回層の上であって前記カット領域を補って、強化繊維が傾斜方向に指向した第３プリプレグを巻回して前記傾斜層を形成していることを特徴とするルアーロッドを提供する。
【０００５】
請求項２では、リール固定装置の前側に前側グリップ部が配設されている場合は該前側グリップ部の前側竿杆部位に比べて、前側グリップ部が無い場合はリール固定装置の前側竿杆部位に比べて、前記傾斜方向指向の強化繊維比率が高くてなる請求項１記載の釣竿を提供する。
【０００６】
請求項３では、リール固定装置の前側に前側グリップ部が配設されている場合は該前側グリップ部から後側グリップ部領域内にまで亘って強化繊維が少なくとも軸長方向に指向した層と傾斜方向に指向した層とを具備し、前側グリップ部とリール固定装置との長さ範囲内において、前側グリップ部が無い場合はリール固定装置から後側グリップ部領域内にまで亘って強化繊維が少なくとも軸長方向に指向した層と傾斜方向に指向した層とを具備し、リール固定装置の長さ範囲内において、後方に向かって軸長方向指向強化繊維の割合が減少すると共に傾斜方向指向強化繊維の割合が増大する漸変部を有し、該漸変部を出て後側グリップ部領域内に至るまでは前記傾斜方向指向強化繊維の割合は漸変部の前端部よりも大きく、軸長方向指向強化繊維の割合は小さい請求項１又は２記載のルアーロッドを提供する。
【０００７】
請求項４では、１対のフードが、前方の固定フードと後方の移動フードであり、該移動フードはその後側に配設されてリールシート本体上の雌ねじと螺合して回動しつつ前後に移動するナット部材によって駆動される構成であり、リールシート本体の後端と後側グリップ部前端近くとの間は、ナット部材が退避移動可能な外径である請求項１〜３までの内の何れか１記載のルアーロッドを提供する。
【発明の効果】
【０００８】
請求項１では、リール固定装置部の竿杆はリールシート本体によって補強された状態であり、このリールシート本体は後側グリップ部と分離しているため、投擲操作時に、前側の手でリール固定装置部を握り、後側の手で後側グリップ部を握って操作すれば、リールシート本体の後側領域（分離間領域）に大きな捩り負荷が作用する。従って、少なくともリールシート本体の途中位置から後側グリップ部の途中位置にまで亘る竿杆に傾斜方向繊維層を設ければ、こうした際の捩り剛性を向上させることができる。
【０００９】
請求項２では、撓みの期待される竿杆露出部位（上記前側竿杆部位）にも傾斜方向繊維層を設けることはあるが、ここよりも傾斜方向指向の強化繊維比率を高く形成するため、それだけハンドル部の捩り剛性が向上する。
【００１０】
請求項３では、（前側グリップ部又は）リール固定装置の長さ範囲内において傾斜方向指向強化繊維の割合が増大し、後側グリップ部領域内までは前記割合は漸変部の前端部よりも大きいため、この間の竿杆の捩り剛性が向上する。また、こうして捩り剛性を向上させつつも、この領域に撓みを予定しない釣竿の場合、軸長方向強化繊維割合を減少させることができ、このため、後側グリップ部領域内に至るまでは捩り剛性を向上させる割りに小径化でき、軽量化に寄与する。リール固定装置から後方領域に強い撓みを予定しないのは、釣竿後端を腹にあてがって、ポンピングを行うような使用を想定していない種類の釣竿である。
【００１１】
請求項４では、リールシート本体の後端と後側グリップ部前端近くの間はナット部材が退避移動可能な外径であるため、小径であり、またこの間の竿杆にはリールシート本体が至っていないため、結果的に補強されておらず、捩り負荷に対しても弱い。また、ナット部材を回動させてリール脚を締結する構造のため、それだけ竿杆には強く捩り負荷が作用する。従って、こうした小径で捩り負荷の作用し易い構造の釣竿の場合に、傾斜方向繊維層を設けることは捩り剛性向上に大きく役立つ。
【発明を実施するための最良の形態】
【００１２】
以下、本発明を添付図面に示す実施形態例に基づき、更に詳細に説明する。
図１は本発明に係るルアーロッドの要部側面図と、その竿杆の縦断面図による径方向拡大部分図である。エポキシ樹脂等の合成樹脂をマトリックとし、炭素繊維等の強化繊維で強化した繊維強化合成樹脂製竿杆１０の後方部所定位置には、リールを載置させるリール載置部１２Ｓを有し、合成樹脂で形成された概ね筒状のリールシート本体１２を套嵌させ、接着固定している。この本体の前記リール載置部の前側部には固定フードＦ１を一体に形成し、これに対向させて後側には移動フードＦ２を設けている。
【００１３】
該移動フードは、その直後に設けられて前記リールシート本体外周に設けた雄ねじに螺合させたナット部材Ｎを回動させて前後に移動可能に構成されている。これらでリール固定装置を形成している。また、リールシート本体１２は領域Ｌ１２の範囲に設けられており、その前側端部の前方所定領域ＬＦは前側グリップ部ＦＧとして形成している。この前側グリップ部から前記リール載置部の径方向反対側領域にまで亘って、把持感が良く、グリップ部として適する発泡性樹脂やコルク材による握り部材を被覆させている。
【００１４】
一方、リールシート本体１２の後端から所定距離離隔して、領域ＬＲに後側グリップ部ＲＧを設けており、その後端部には尻栓２０を設けている。この後側グリップ部にも、把持感が良く、グリップ部として適する発泡性樹脂やコルク材による握り部材を被覆させている。前記リールシート本体１２後端と後側グリップ部との間の竿杆１０の上には、ステンレス材等のリング部材Ｒが套嵌されており、竿杆１０を保護すると共に、後側グリップ部の前端面を保護している。この後側グリップ部前端面保護部を除いたリールシート本体後端の後方領域ＬＳは、ナット部材Ｎが後退移動するために、それが可能なように小径に形成されている。
【００１５】
後手で後側グリップ部を握り、前手でリール固定装置部を把持して投擲操作を行えば、この間の領域に捩り負荷が作用する。特に、合成樹脂材のリールシート本体１２が途切れて、該リールシート本体と後側グリップ部との間に位置して、捩りに対して竿杆１０を強く補強していない小径の領域ＬＳが問題となる。また、この例では、リールの脚をナット部材を締め込んで締結するため、その際に竿杆に捩り負荷が作用する。
【００１６】
こうした捩り負荷に対して竿杆の捩り剛性を向上させるために、傾斜方向指向強化繊維の層を設ける。従来の考えでは、こうしたリール固定装置領域とその後方領域で捩り負荷が大きな問題となることは無かった。それは竿杆がある程度の大きさの外径と肉厚を有しており、それで捩り負荷に耐えることができたからである。しかし、釣竿の軽量化を狙って、更に小径化させようとすれば（例えば外径８ｍｍ弱）、捩り負荷の影響が表面化し、対策が必要となる。そこで、竿杆の層の中で、最も効果的な最外層に傾斜方向指向強化繊維の層を設ける。
【００１７】
ここでの釣竿は、リール固定装置領域とその後方領域には、特に大きな曲げ負荷を作用させる使用形態を考えていないルアーロッドのため、リール固定装置のリール載置部１２Ｓの長さ範囲程度内に竿杆の積層の漸変部Ｃ−Ｄを設け、この範囲で、その前方領域Ａ−Ｃよりも軸長方向指向と円周方向指向の強化繊維の層ＪＥＳの割合を少なくし、その後方領域Ｄ−Ｅでは、漸変部にて減少したその割合を概ね維持している。逆に、傾斜方向指向の強化繊維の層ＫＳＳの割合は、漸変部の前方領域Ａ−Ｃが少なく、漸変部で後方に向かって割合が大きくなり、その後方領域Ｄ−Ｅでは漸変部にて増大したその割合を概ね維持している。
【００１８】
上記竿杆１０の製造の一過程を図２に示す。芯金ＭＤに、強化繊維ＥＳ１が円周方向に指向した薄い裏打層を有し、軸長方向に指向した強化繊維ＪＳ１の層を有するプリプレグＳ１と、強化繊維ＥＳ２が円周方向に指向した薄い裏打層を有し、軸長方向に指向した強化繊維ＪＳ２の層を有するプリプレグＳ２とを巻回する。各裏打層は薄く、軸長方向層が厚く、軸長方向指向強化繊維が多い。２枚目のプリプレグＳ２は基本となる台形状の元部角部が図のようにカットされており、このカットにより軸長方向強化繊維と円周方向強化繊維とが少なくなっている。この少なくなった分に代わって、この領域に軸長方向に対して対称な±４５度方向に傾斜指向した傾斜方向指向の強化繊維ＫＳ，ＫＳ’を有するプリプレグ片Ｓ３を巻回する。これを定法に従って加圧加熱硬化させれば、図１の積層構造の竿杆１０が成形される。
【００１９】
プリプレグＳ３は、４５度方向指向の強化繊維のプリプレグＳ３−１と−４５度方向指向の強化繊維のプリプレグＳ３−２とを重ねたバイアスでもよく、また、±４５度方向に傾斜指向するように編んだ編組体でもよい。更には、傾斜方向は４５度が好ましいが、３０〜６０度程度でも良い。また、軸長方向に対して対称な両方向から交差させるのは、捩りがどちら方向であっても対応できるためであるが、特定方向に捩られる場合は、それに対応する一方向の傾斜でもよい。
【００２０】
一例であるが、図１の位置Ａ，Ｂ，Ｃ，Ｄ，Ｅにおける竿杆の外径と、肉厚と、傾斜方向指向層の肉厚割合（比率）との実施例を示す。位置Ａは前側グリップ部の前端位置、位置Ｂは位置ＡとＣとの中間位置、位置Ｅは竿杆後端位置である。
位置              Ａ        Ｂ        Ｃ        Ｄ        Ｅ
外径（ｍｍ）    ７．９    ７．９    ７．９    ７．９    ７．９
肉厚（ｍｍ）    ０．６５  ０．６５  ０．６５  ０．６５  ０．６５
割合            ０．１２  ０．０９  ０．０９  ０．１８  ０．２３
【００２１】
上記例では、漸変部の前端部から竿杆後端部までは同一外径、同一肉厚に形成しているが、一般には、該漸変部前端位置を１．０とすれば、外径が０．８〜１．２の範囲内に、また、肉厚が０．５〜１．２の範囲内に形成する。
一般に市販されている炭素繊維使用のプリプレグの中で、軸長方向指向の層として使用できるプリプレグと概ね同じ厚さであって、既述のバイアスプリプレグのものがある。一例を挙げれば、軸長方向強化繊維の縦弾性率が２４ｔ／ｍｍ２（２３５２００Ｎ／ｍｍ２）のプリプレグ、バイアスも強化繊維の縦弾性率が２４ｔ／ｍｍ２（２３５２００Ｎ／ｍｍ２）のプリプレグであり、内径が５ｍｍ、肉厚が０．２４ｍｍ程度の管状体とする場合、前者のプリプレグを３層巻回した場合と、前者プリプレグを２層巻回し、後者のバイアスプリプレグを１層巻回した場合とでは、後者の積層管状体の方が、約３倍の剪断弾性率（横弾性係数）を有する管状体となる。従って、外径や肉厚を厚くして重量を大きくすることなく、捩り剛性を向上できる。
【００２２】
以上ではルアーロッドで説明したが、両手で投擲操作を行う釣竿一般を参考として述べれば、投擲操作時に前後の握り手の間領域において竿杆に捩り負荷が作用する。従って、こうした釣竿の投擲時の前後の握り位置部間領域に、傾斜方向指向の強化繊維層を設ければ、捩り負荷に対して強くなる。
【産業上の利用可能性】
【００２３】
本発明は、ルアーロッドに利用できる。
【図面の簡単な説明】
【００２４】
【図１】図１は本発明に係るルアーロッドの要部側面図と、竿杆縦断面の径方向拡大部分図である。
【図２】図２は図１の竿杆の製造途中の図である。
【符号の説明】
【００２５】
１０                    竿杆
１２                    リールシート本体
１２Ｓ                  リール載置部
ＫＳＳ                  傾斜方向指向の強化繊維の層
Ｎ                      ナット部材
【図１】
2007244396.tif 000003
【図２】
2007244396.tif 000004